(57)【要約】【課題】  通信部を備えつつ情報機器の配置スペースの省スペース化を実現可能な情報処理装置及び電子機器システムを提供する。【解決手段】  情報処理装置２は支持部４を備え、支持部４の底板部６にマーク８に対応して通信ポート部９が配置されている。このため、底板部６を、キーボード３を本体部５の下方で空間Ｋに収納して配置するためだけでなく通信ポート部９としても用いることができ、情報処理装置２及びキーボード３の配置スペースの省スペース化が可能である。情報処理装置２の本体部５の下に支持部４が配置されている。このため、情報処理装置２及びキーボード３の収納時の設置面積を縮小することができる。つまり、支持部４を、本体部５を支持するためだけでなくキーボード３を収納するためにも用いることができ、情報処理装置２及びキーボード３の配置スペースの省スペース化が可能となる。【選択図】図３
2010061219.tif 000002
【特許請求の範囲】
【請求項１】
表示部を有する本体部と、
前記本体部を支持しこの本体部の下方に前記本体部と接続可能な情報機器を配置可能な空間を形成する支持部と、
前記支持部に設けられ非接触型通信媒体との通信を行う通信部と
を具備する情報処理装置。
【請求項２】
請求項１に記載の情報処理装置であって、
前記通信部で受信した前記非接触型通信媒体からの情報に基づき認証処理を行う認証処理部を更に具備する
情報処理装置。
【請求項３】
請求項２に記載の情報処理装置であって、
前記支持部は、前記空間を形成する底板部を有し、
前記底板部に前記通信部が設けられている
情報処理装置。
【請求項４】
請求項３に記載の情報処理装置であって、
前記底板部の上面に前記通信部の位置を示すマークが設けられ、
前記通信部は前記マークに対応した位置に設けられている
情報処理装置。
【請求項５】
請求項４に記載の情報処理装置であって、
前記支持部は、前記空間の高さを決める側板部を有し、この側板部の一方の面に補強部が設けられている
情報処理装置。
【請求項６】
請求項５に記載の情報処理装置であって、
前記空間を形成する天井面に、前記空間に配置された前記情報機器の押下式操作部に対する誤操作を防止するための突起部を設けた
情報処理装置。
【請求項７】
請求項６に記載の情報処理装置であって、
前記空間を形成する天井面は、前記本体部の表面側から背面側に向かって下降する傾斜面を有する
情報処理装置。
【請求項８】
請求項７に記載の情報処理装置であって、
前記傾斜面に対応してスピーカー部が配置されている
情報処理装置。
【請求項９】
請求項８に記載の情報処理装置であって、
前記本体部は、前記表面とは反対側の背面に設けられ、前記本体部に接続可能なケーブルを前記ケーブルが接続される端子に対して離間した位置で保持可能な保持部を有する
情報処理装置。
【請求項１０】
請求項９に記載の情報処理装置であって、
前記本体部は、前記表示部に表示する情報を生成するための情報処理部を有する
情報処理装置。
【請求項１１】
表示部を有する本体部と、前記本体部を支持しこの本体部の下方に空間を形成する支持部と、前記支持部に設けられ非接触型通信媒体との通信を行う通信部とを有する情報処理装置と、
前記本体部と接続可能であり前記空間に配置可能な情報機器と
を具備する電子機器システム。
【発明の詳細な説明】
【技術分野】
【０００１】
本発明は、デスクトップ型のパーソナルコンピュータ等の情報処理装置及び電子機器システムに関する。
【背景技術】
【０００２】
従来、例えばデスクトップ型のパーソナルコンピュータでは、キーボードなどの情報機器を収納するスペースが設けられておらず、パーソナルコンピュータの設置面積が大きくなる、という問題を抱えていた。この問題を解決する情報処理装置は、２つのタイプが知られている。１つは折り畳み式のキーボードを備えるタイプであり、もう１つはキーボードを情報処理装置の本体の下に挿入することが可能なタイプである。
【０００３】
この折り畳み式の情報処理装置は、例えば情報処理装置の表示部に対してキーボードが折り畳み可能に設けられている（例えば、特許文献１参照。）。
【０００４】
一方、キーボードを挿入するタイプの情報処理装置は、例えば情報処理装置の表示部の下端部にキーボードを収納可能な収納部を備えており、この収納部にキーボードが収納される（例えば、特許文献２参照。）。  
【特許文献１】特開２００４−２７２５１９号公報（段落[００３９]、図１）
【特許文献２】特開２００５−３１６８２９号公報（段落[００３３]、図１、図３）
【発明の開示】
【発明が解決しようとする課題】
【０００５】
しかしながら、上述した特許文献１の技術では、表示部からキーボードを取り外すことができず、ユーザが自由な位置でキーボードを使用することができない、という問題がある。
【０００６】
また、上記特許文献２の技術では、キーボードを収納可能な収納部には、例えばＩＣカードなどを用いたユーザ認証を行うための通信部を配置するための平坦な領域を設けることができない、という問題がある。
【０００７】
以上のような事情に鑑み、本発明の目的は、通信部を備えつつ情報機器の配置スペースの省スペース化を実現可能な情報処理装置及び電子機器システムを提供することにある。
【課題を解決するための手段】
【０００８】
上記問題を解決するために、本発明に係る情報処理装置は、本体部と、支持部と、通信部とを有する。上記本体部は、表示部を有する。上記支持部は、上記本体部を支持しこの本体部の下方に上記本体部と接続可能な情報機器を配置可能な空間を形成する。上記通信部は、上記支持部に設けられ非接触型通信媒体との通信を行う。
【０００９】
本発明では、支持部を、情報機器を本体部の下方に配置するためだけでなく通信部としても用いることができ、通信部と支持部とが別領域にある場合に比べて、情報処理装置及び情報機器の配置スペースの省スペース化が可能である。また、支持部を、本体部を支持するためだけでなく情報機器を本体部の下方に配置するためにも用いることができ、支持と本体部の下方への配置とを別々の部材で実現する場合に比べて、情報処理装置及び情報機器の配置スペースの省スペース化が可能となる。
【００１０】
上記通信部で受信した上記非接触型通信媒体からの情報に基づき認証処理を行う認証処理部を更に具備するようにしてもよい。ここで、非接触型通信媒体とは、集積回路を備えるＩＣカードなどを含む。認証処理とは、例えばユーザが非接触型通信媒体を支持部の通信部に近づけることで、電磁誘導を用いて、非接触型通信媒体と情報処理装置との間で非接触で情報のやり取りを行い認証を行う処理を含む。
【００１１】
これにより、非接触型通信媒体と情報処理装置との間で、認証処理を行うことができる。
【００１２】
上記支持部は、上記空間を形成する底板部を有し、上記底板部に上記通信部が設けられているようにしてもよい。  
これにより、底板部に情報機器を配置することができると共に、情報機器を情報処理装置の下方から取り出して底板部の通信部をユーザ認証等のために用いることができる。
【００１３】
上記底板部の上面に上記通信部の位置を示すマークが設けられ、上記通信部は上記マークに対応した位置に設けられているようにしてもよい。  
これにより、通信部の位置を示すマークに非接触型通信媒体を近づけ、ユーザ認証等を行うことができる。
【００１４】
上記支持部は、上記空間の高さを決める側板部を有し、この側板部の一方の面に補強部が設けられているようにしてもよい。  
これにより、側板部を補強することができる。
【００１５】
上記空間を形成する天井面に、上記空間に配置された上記情報機器の押下式操作部に対する誤操作を防止するための突起部を設けるようにしてもよい。  
これにより、情報機器を支持部の空間内に配置するときに、情報機器の上面側から情報機器を突起部により押下し、情報機器の上面側と本体部の下端との間の距離を所定の距離に保つことができる。この結果、例えば情報機器の上面にキーなどが配置されている場合に、情報機器を支持部の空間に配置するときに、間違ってキーが押下されることを防止することができる。
【００１６】
上記空間を形成する天井面は、上記本体部の表面側から背面側に向かって下降する傾斜面を有するようにしてもよい。  
これにより、情報機器の配置スペースをより大きくすることができると共に、支持部の空間に情報機器を配置するときに、支持部に情報機器が接触することを防止することができる。
【００１７】
上記傾斜面に対応してスピーカー部が配置されているようにしてもよい。  
これにより、情報機器の配置スペースが小さくなることを防止することができる。スピーカー部が本体部の下端に位置するため、スピーカー部が本体部の両側部側に位置する場合に比べて、情報処理装置の配置スペースを小さくすることができる。
【００１８】
上記本体部は、上記表面とは反対側の背面に設けられ、上記本体部に接続可能なケーブルを上記ケーブルが接続される端子に対して離間した位置で保持可能な保持部を有するようにしてもよい。  
これにより、情報機器を支持部の空間内に配置したり取り出したりするときに、ケーブルが情報処理装置に引っかかることを防止することができる。
【００１９】
上記本体部は、上記表示部に表示する情報を生成するための情報処理部を有するようにしてもよい。  
これにより、情報処理部で生成した情報を表示部に表示することが可能な情報処理装置の支持部の空間内に情報機器を配置することができる。
【００２０】
本発明に係る電子機器システムは、情報処理装置と、情報機器とを有する。上記情報処理装置は、本体部と、支持部と、通信部とを有する。上記本体部は、表示部を有する。上記支持部は、上記本体部を支持しこの本体部の下方に空間を形成する。上記通信部は、上記支持部に設けられ非接触型通信媒体との通信を行う。上記情報機器は、上記本体部と接続可能であり上記空間に配置可能である。
【００２１】
本発明では、支持部を、情報機器を本体部の下方に配置するためだけでなく通信部としても用いることができ、通信部と支持部とが別領域にある場合に比べて、情報処理装置及び情報機器の配置スペースの省スペース化が可能である。また、支持部を、情報機器を本体部の下方に配置するためだけでなく本体部を支持するためにも用いることができ、支持と本体部の下方への配置とを別々の部材で実現する場合に比べて、情報処理装置及び情報機器の配置スペースの省スペース化が可能となる。また、情報機器は、通信部を配置するための領域が支持部に比べて少ない。このため、情報機器が通信部を備えるようにすると、情報機器が備える他の部品との配置関係により情報機器のデザイン性が損なわれることがある。これに対して、通信部は、支持部に設けられており、支持部に他の部品が設けられない場合には、通信部の有り無しで支持部のデザイン性が損われることもない。
【発明の効果】
【００２２】
以上のように、本発明によれば、通信部を備えつつ情報機器の配置スペースの省スペース化が可能となる。
【発明を実施するための最良の形態】
【００２３】
以下、本発明の実施の形態を図面に基づき説明する。
［情報処理装置の構成］  
図１は本発明の一実施形態に係る電子機器の斜視図、図２は図１に示す情報処理装置の斜視図である。  
電子機器１は、例えばデスクトップ型のパーソナルコンピュータ等である情報処理装置２と、情報処理装置２の下方に配置されて収納されるキーボード３とを備える。なお、図示しないマウス型の入力装置が情報処理装置２に接続されてもよい。
【００２４】
情報処理装置２は、キーボード３を収納可能な支持部４と情報処理装置２の本体部分である本体部５とを備える。支持部４は、本体部５の下方に設けられ本体部５を支持する。支持部４は、図１に示すようにキーボード３を収納可能である。支持部４は、図２に示すように、キーボード３を収納する空間Ｋが形成されている。支持部４は、収納されたキーボード３が配置される底板部６と、底板部６の両側に設けられた一対の側板部４３とを備える。キーボード３は、支持部４の空間Ｋに収納され、底板部６の上面である配置面６ａに配置される。配置面６ａは、フラットな形状である。底板部６の配置面６ａには、例えばユーザ認証に用いられる通信ポート部の位置を示すマーク８（例えばＦｅｌｉＣａ（登録商標））が表示されている。
【００２５】
図３は図２に示す情報処理装置２のＡ−Ａ断面図、図４は情報処理装置２の支持部４を構成する表面側のカバーの一部を破断した拡大図である。  
支持部４の底板部６は、底板部６の底面を構成する基部４Ａと、底板部６の表面を構成するカバー部７と、基部４Ａとカバー部７との間に配置された通信ポート部９とを備える。
【００２６】
底板部６の基部４Ａは、情報処理装置２の表面２５及び背面２７に対して傾斜して設けられている。つまり、図３に示すように例えば情報処理装置２を水平面に対して垂直に配置したときに、基部４Ａは水平面に対して角度θ１の角度をなして配置される。角度θ１は、例えば１３度である。
【００２７】
底板部６のカバー部７は、図３に示すように情報処理装置２の表面２５及び背面２７に対して傾斜して設けられている。つまり、図３に示すように情報処理装置２を水平面に対して垂直に配置したときに、カバー部７は、水平面に対して角度θ２の角度をなして配置される。角度θ２は、例えば２４度である。なお、角度θ１及びθ２は、これらの値に限定されず、適宜変更可能である。
【００２８】
本体部５の表面２５側には、本体部５の表面側を構成するカバーの一部であるカバー部４１が配置されている。カバー部４１は、情報処理装置２の表面２５に対して傾斜する傾斜面２６を備える。傾斜面２６は、本体部５の表面２５側から背面２７側に向かって下降するように傾斜している。表面２５に対する傾斜面２６の角度θ３は、例えば３０度である。本体部５の下端部で本体部５内に収納されたスピーカー３２は、傾斜面２６に略平行な面２８を備える。なお、スピーカー３２の前面が傾斜面２６に略平行となるように、スピーカー３２自体を傾斜して配置するようにしてもよい。
【００２９】
カバー部７と基部４Ａとの間には、マーク８に対応するように通信ポート部９が内蔵されている。通信ポート部９は、支持部４の底板部６に内蔵された非接触型ＩＣデバイスである。通信ポート部９は、例えばユーザが後述する非接触型のＩＣカード２０をマーク８（通信ポート部９）に近づけることで、電磁誘導を用いて、非接触型のＩＣカード２０と情報処理装置２との間で非接触で情報のやり取りを行う。通信ポート部９は、図４に示すように通信モジュール１０、アンテナ１１、サポートブラケット１２などを備える。
【００３０】
図５はの通信ポート部９の内部の構成を示すブロック図である。  
通信ポート部９は、通信モジュール１０と、アンテナ１１などを備える。  
通信モジュール１０は、ＩＣ９１、フラッシュメモリ９２、変調回路９３、復調回路９４及び発振器９６を備える。
【００３１】
ＩＣ９１は、データの処理を行うＤＰＵ（Data Processing Unit）１０１、他の電子機器（例えば、ＩＣカード２０）に送信するデータおよび他の電子機器から受信したデータの処理を行うＳＰＵ（Signal Processing Unit）１０２、入出力インターフェース６７との通信を行うＳＣＣ（Serial Communication Controller）１０３、並びに、データの処理に必要な情報を予め記憶しているＲＯＭ（Read Only Memory）１１１および処理途中のデータを一時的に記憶するＲＡＭ１１２とで構成されるメモリ１０４により構成され、ＤＰＵ１０１乃至メモリ１０４は、バス１０５を介して相互に接続されている。
【００３２】
フラッシュメモリ９２は、このバス１０５に接続され、例えば、認証のために必要なデータなどの所定のデータを記憶する。
【００３３】
アンテナ１１は、他の電子機器の非接触ＩＣデバイスのアンテナ（例えば、図６のＩＣカード２０のアンテナ１７３）との間で電磁誘導により通信する。より具体的には、アンテナ１１に対する負荷状態を監視することにより、他の電子機器（ＩＣカード２０）が近傍に配置されたか否かが検出され、検出された電子機器（ＩＣカード２０）との間でデータの送受信が行なわれる。
【００３４】
復調回路９５は、アンテナ１１を介して受信した変調波（ＡＳＫ（AmplitudeShift Keying）変調波）を復調し、復調されたデータをＳＰＵ１０２に出力する。
【００３５】
ＳＰＵ１０２は、復調回路９５を介して入力された、データに対してＢＰＳＫ（Binary Phase Shift Keying）復調処理を施すとともに、例えば、ＩＣカード２０に送信するコマンドをＢＰＳＫ変調処理した後、変調回路９３に出力する。
【００３６】
ＤＰＵ１０１は、ＳＰＵ１０２およびバス１０５を介して、復調回路９５から受信したデータや、ＳＣＣ１０３およびバス１０５を介して入出力インターフェース６７から入力される制御信号の入力を受け、その入力に従った処理を実行する。ＤＰＵ１０１はまた、他の電子機器に送信するコマンドを生成し、バス１０５を介してＳＰＵ１０２に出力したり、情報処理装置２のＣＰＵに出力するデータを、バス１０５を介してＳＣＣ１０３に出力する。
【００３７】
変調回路９３は、発振器９６より供給される所定の周波数の搬送波を、ＳＰＵ１０２より供給されるデータに基づいてＡＳＫ変調し、生成された変調波を、アンテナ１１を介して出力する。
【００３８】
ＳＣＣ１０３は、入出力インターフェース６７から入力されたデータを、バス１０５を介して、ＤＰＵ１０１に供給したり、ＤＰＵ１０１から、バス１０５を介して入力されたデータを、入出力インターフェース６７に出力する。
【００３９】
図６は非接触型のＩＣカード２０の内部の構成を示すブロック図である。  
ＩＣカード２０は、例えばＩＣ１７１、コンデンサ１７２及びアンテナ１７３を備える。ＩＣ１７１は、インターフェース部１６１、ＢＰＳＫ復調部１６２、ＰＬＬ部１６３、演算部１６４、ＲＯＭ１６５、ＰＥＰＲＯＭ１６６、ＲＡＭ１６７及びＢＰＳＫ変調部１６８を備える。
【００４０】
ＩＣカード２０のＩＣ１７１は、アンテナ１７３をして、通信ポート部９より送信された変調波を受信する。コンデンサ１７２は、アンテナ１７３とともにＬＣ共振回路を構成し、所定の周波数（キャリア周波数）の電磁誘導波に同調（共振）する。
【００４１】
インターフェース部１６１のＡＳＫ復調部１８１は、アンテナ１７３を介して受信した変調波（ＡＳＫ変調波）を検波して復調し、復調後のデータを、ＢＰＳＫ復調部１６２およびＰＬＬ（PhaseLocked Loop）部１６３に出力する。電圧レギュレータ１８２は、ＡＳＫ復調部１８１が検波した信号を安定化し、各回路に直流電源として供給する。発振回路１８３は、データのクロック周波数と同一の周波数の信号を発振し、その信号をＰＬＬ部１６３に出力する。
【００４２】
ＩＣカード２０から通信ポート部９へデータを送信する場合、ＡＳＫ変調部１８４は、演算部１６４からＢＰＳＫ変調部１６８を介して供給されるデータに対応して、例えば、内蔵するスイッチング素子（図示せず）をオンまたはオフさせ、スイッチング素子がオン状態であるときだけ所定の負荷をアンテナ１７３に並列に接続させる。これにより、アンテナ１７３と電磁結合しているアンテナ１１から見たアンテナ１７３の方向の負荷が変動される。
【００４３】
すなわち、ＡＳＫ変調部１８４は、アンテナ１７３の負荷の変動により、アンテナ１７３を介して受信している変調波をＡＳＫ変調し（通信ポート部９は、ＩＣカード２０からデータを受信するとき、すなわち、ＩＣカード２０にデータを送信させるとき、その出力する変調波の最大振幅を一定にしており、この変調波が、アンテナ１７３の負荷の変動により、ＡＳＫ変調される）、その変調成分を、アンテナ１７３を介して通信ポート部９に送信する（通信ポート部９のアンテナ１１の端子電圧を変動させる）。
【００４４】
ＰＬＬ部１６３は、ＡＳＫ復調部１８１より供給されるデータから、そのデータに同期したクロック信号を生成し、そのクロック信号をＢＰＳＫ復調部１６２およびＢＰＳＫ変調部１６８に出力する。ＢＰＳＫ復調部１６２は、ＡＳＫ復調部１８１で復調されたデータが、ＢＰＳＫ変調されている場合、ＰＬＬ部１６３より供給されたクロック信号に従って、そのデータの復調（マンチェスタコードのデコード）を行い、復調したデータを演算部１６４に出力する。
【００４５】
演算部１６４は、ＢＰＳＫ復調部１６２より供給されたデータが暗号化されている場合、そのデータを暗号／復号部１９２で復号化した後、そのデータを、シーケンサ１９１で処理する。なお、データが暗号化されていない場合、ＢＰＳＫ復調部１６２より供給されたデータは、暗号／復号部１９２を介さず、シーケンサ１９１に、直接供給される。
【００４６】
シーケンサ１９１は、入力されるコマンドに従った各種の処理を実行する。すなわち、シーケンサ１９１は、例えば、ＥＥＰＲＯＭ（Electrically Erasable and Programmable Read Only Memory）１６６に対するデータの書き込みや読み出し、その他データに対する必要な演算処理などを行う。更に、シーケンサ１９１は、認証を行うことによるＥＥＰＲＯＭ１６６へのアクセス制御や、ＥＥＰＲＯＭ１６６の管理などを実行する。
【００４７】
演算部１６４のパリティ演算部１９３は、ＥＥＰＲＯＭ１６６に記憶されるデータや、ＥＥＰＲＯＭ１６６に記憶されているデータから、パリティとして、例えば、リードソロモン符号を算出する。更に、演算部１６４は、シーケンサ１９１で所定の処理を行った後、その処理に対応する応答データ（通信ポート部９に送信するデータ）をＢＰＳＫ変調部１６８に出力する。ＢＰＳＫ変調部１６８は、演算部１６４より供給されたデータをＢＰＳＫ変調し、変調後のデータをインターフェース部１６１のＡＳＫ変調部１８４に出力する。
【００４８】
ＲＯＭ１６５は、シーケンサ１９１が処理を行うためのプログラム、およびプログラムの実行に必要なデータなどを記憶している。ＲＡＭ１６７は、シーケンサ１９１が処理を行うとき、その処理の途中のデータなどを、一時的に記憶する。ＥＥＰＲＯＭ１６６は、不揮発性のメモリであり、ＩＣカード２０が、通信ポート部９との通信を終了し、その電力供給が停止された後も、データ（例えば、そのユーザの生年月日、クレジットカードの番号、住所、氏名等）を記憶し続ける。
［送受信動作］  
次に、通信ポート部９とＩＣカード２０との間のデータの送受信処理について説明する。
【００４９】
図５を用いて説明した通信ポート部９は、アンテナ１１から所定の電磁波を放射した状態で、アンテナ１１の負荷状態を監視し、ＩＣカード２０が接近することによる負荷状態の変化が検出されるまで待機する。
【００５０】
通信ポート部９において、ＩＣカード２０の接近が検出されると、非接触ＩＣデバイスのＳＰＵ１０２は、所定の周波数の矩形波を搬送波として、ＩＣカード２０に送信するデータ（例えば、ＩＣカード２０に実行させる処理に対応するコマンドや、ＩＣカード２０に書き込むデータなど）で、ＢＰＳＫ変調を行い、生成した変調波（ＢＰＳＫ変調信号）を変調回路９３に出力する。
【００５１】
変調回路９３は、入力されたＢＰＳＫ変調信号で、発振器９６より出力される搬送波をＡＳＫ変調し、生成された変調波（ＡＳＫ変調波）を、アンテナ１１を介してＩＣカード２０に送信する。
【００５２】
なお、送信を行わないとき、変調回路９３は、ディジタル信号の２つのレベル（ハイレベルとローレベル）のうちの、例えばハイレベルで変調波を生成するようになされている。
【００５３】
図６を用いて説明したＩＣカード２０では、アンテナ１７３およびコンデンサ１７２で構成されるＬＣ共振回路において、通信ポート部９のアンテナ１１が放射した電磁波の一部が電気信号に変換され、その電気信号（変調波）が、ＩＣ１７１のインターフェース部１６１に出力される。そして、インターフェース部１６１のＡＳＫ復調部１８１は、その変調波を整流平滑化することで、包絡線検波を行い、これにより生成される信号を電圧レギュレータ１８２に供給するとともに、その信号の直流成分を抑制してデータ信号を抽出し、そのデータ信号をＢＰＳＫ復調部１６２およびＰＬＬ部１６３に出力する。
【００５４】
電圧レギュレータ１８２は、ＡＳＫ復調部１８１により整流平滑化された信号を受信すると、その信号を安定化し、直流電源として、演算部１６４を始めとする各回路に供給する。
【００５５】
ＢＰＳＫ復調部１６２は、ＡＳＫ復調部１８１からデータ（ＢＰＳＫ変調信号）を受信すると、そのデータを、ＰＬＬ部１６３より供給されるクロック信号に従って復調し、復調したデータを演算部１６４に出力する。
【００５６】
演算部１６４は、ＢＰＳＫ復調部１６２より供給されたデータが暗号化されている場合は、暗号／復号部１９２で復号化した後、そのデータをシーケンサ１９１に供給して処理する。なお、通信ポート部９は、この期間、すなわち、ＩＣカード２０にデータを送信後、それに対する返答を受信するまでの間、値が１のデータを送信したまま待機している。従って、この期間においては、ＩＣカード２０は、最大振幅が一定である変調波を受信している。
【００５７】
シーケンサ１９１は、処理が終了すると、その処理結果などについての応答データ（通信ポート部９に送信するデータ）を、ＢＰＳＫ変調部１６８に出力する。ＢＰＳＫ変調部１６８は、入力されたデータをＢＰＳＫ変調した後、インターフェース部１６１のＡＳＫ変調部１８４に出力する。
【００５８】
そして、ＡＳＫ変調部１８４は、アンテナ１７３の両端に接続される負荷を、スイッチング素子などを利用し、ＢＰＳＫ変調部１６８からのデータに応じて変動させることにより、受信している変調波（ＩＣカード２０によるデータの送信時においては、上述したように、通信ポート部９が出力する変調波の最大振幅は一定とされている）を、送信するデータに応じてＡＳＫ変調し、これにより通信ポート部９のアンテナ１１の端子電圧を変動させて、そのデータを通信ポート部９に送信する。
【００５９】
一方、通信ポート部９の変調回路９３は、ＩＣカード２０からのデータの受信時においては、値が１（ハイレベル）のデータの送信を継続している。そして、復調回路９５において、ＩＣカード２０のアンテナ１７３と電磁気的に結合しているアンテナ１１の端子電圧の微小な変動（例えば、数十マイクロボルト）から、ＩＣカード２０により送信されてきたデータが検出される。
【００６０】
更に、復調回路９５では、検出した信号（ＡＳＫ変調波）が高利得の増幅器（図示せず）で増幅されて復調され、その結果得られるディジタルデータがＳＰＵ１０２に出力される。ＳＰＵ１０２は、入力されたデータ（ＢＰＳＫ変調信号）を復調し、バス１０５を介して、ＤＰＵ１０１に出力する。ＤＰＵ１０１は、ＳＰＵ１０２から入力されたデータを処理し、その処理結果に応じて、通信を終了するか否かを判断する。そして、再度、通信を行うと判断された場合、上述した場合と同様にして、通信ポート部９とＩＣカード２０との間で通信が行われる。一方、通信を終了すると判断された場合、通信ポート部９とＩＣカード２０との通信処理が終了される。
【００６１】
以上のように、通信ポート部９は、例えば変調度ｋが１未満であるＡＳＫ変調を利用して、ＩＣカード２０にデータを送信し、ＩＣカード２０は、そのデータを受け取り、そのデータに対応する処理を行って、その処理の結果に対応するデータを、通信ポート部９に返送する。
【００６２】
図７は情報処理装置２の本体部５に設けられた突起部を示す部分拡大斜視図である。  
情報処理装置２の本体部５は、本体部５の下端面（天井面）に、空間Ｋに向けて突出する突起部４０を備える。突起部４０は、例えば情報処理装置２の幅方向（Ｘ方向）の中心点を中心として、左右対称（Ｘ方向に対称）に複数個、設けられている。突起部４０は、情報処理装置２の厚さ方向（Ｙ方向）で情報処理装置２の背面２７側に設けられている。突起部４０は、支持部４の側板部４３の近くに突設されている。突起部４０の形状は例えば半円板形状であり、突起部４０は半円板の曲面を下に向けるようにして設けられている。この結果、支持部４内に収納されたキーボード３に接触する面が曲面となる。突起部４０の構成材料には、例えばエラストマーが用いられる。
【００６３】
図８は図１に示す情報処理装置２の背面側カバーの斜視図、図９は背面側カバーを外した情報処理装置２の斜視図である。  
情報処理装置２は、背面側カバー１５、背面側カバー１５を着脱可能な表面側カバー１６と、これらのカバーに収容される内蔵部品１７とを備える。図９に示すように、背面側カバー１５を取り外した状態では、表面側カバー１６内に内蔵部品１７が収容されている。
【００６４】
背面側カバー１５は、図８に示すように、支持部４の背面側の部分を構成する背面側カバー支持部１８を備える。背面側カバー支持部１８は、基部４Ａと、基部４Ａの両端に設けられた一対の側板部４４とを備える。背面側カバー１５の背面２７の略中央には、情報処理装置２を傾けた状態で背面２７側から支持するための支持部材１９が設けられている。
【００６５】
表面側カバー１６は、図９に示すように、支持部４の表面側の部分を構成する表面側カバー支持部２２を備える。表面側カバー支持部２２は、カバー部７と、一対の側板部４５とを備える。側板部４５は、空間Ｋの高さを決める。側板部４５には、側板部４５を補強するための補強リブ３５が複数個、形成されている。補強リブ３５は、背面側カバー支持部１８に対面する側に形成されている。この結果、表面側カバー１６と背面側カバー１５とが組み合わされたときに、表面側カバー１６及び背面側カバー１５の外側に補強リブ３５が露出することはない。表面側カバー１６内には、内蔵部品１７が収容されている。内蔵部品１７は、例えばＣＰＵ、ＨＤＤユニット３１、スピーカー３２、冷却ユニット３３等を含む。
【００６６】
図１０は情報処理装置２のケーブルクランプ構造を示す斜視図である。  
情報処理装置２は、背面２７に、接続部６３、クランプ部６５を備える。接続部６３は、例えばＡＣアダプタ６０のプラグ６１を接続するための接続部６２などを備える。
【００６７】
クランプ部６５は、接続部６２から離間した位置に設けられている。クランプ部６５は、接続部６２から離間した位置で、例えばＡＣアダプタ６０のケーブル６４をクランプする。例えばクランプ部６５は、ＡＣアダプタ６０のケーブル６４をフックしたときに、確実に下からケーブル６４を保持することができるように、下から上に折れ曲がった形状を有する。
【００６８】
図１１は情報処理装置２の別のケーブルクランプ構造を示す斜視図である。  
情報処理装置２は、接続部６３、クランプ部７５を情報処理装置２の背面２７に備える。接続部６３は、マウス７０の接続部７１を接続するための接続部７２などを備える。クランプ部７５は、接続部７２から離間した位置に設けられている。クランプ部７５は、接続部７２から離間した位置で、例えばマウス７０のケーブル７４をクランプする。例えばクランプ部７５はマウス７０のケーブル７４をフックしたときに、確実に下からケーブル７４を保持することができるように、下から上に折れ曲がった形状を有する。
【００６９】
［作用等］  
このように本実施形態によれば、情報処理装置２は支持部４を備え、支持部４の底板部６にマーク８に対応して通信ポート部９が配置されている。このため、支持部４の底板部６を、キーボード３を本体部５の下方で空間Ｋに収納して配置するためだけでなく通信ポート部９としても用いることができ、情報処理装置２及びキーボード３の配置スペースの省スペース化が可能である。また、情報処理装置２の本体部５の下に支持部４が配置されている。このため、情報処理装置２及びキーボード３の収納時の設置面積を縮小することができる。つまり、支持部４を、本体部５を支持するためだけでなくキーボード３を収納するにも用いることができ、支持と収納とを別々の部材で実現する場合に比べて、情報処理装置２及びキーボード３の配置スペースの省スペース化が可能となる。
【００７０】
配置スペースの省スペース化が求められ、オールインワン化が進む中、本実施形態によれば、情報処理装置２は、キーボード３の収納スペースの省スペース化と、通信ポート部９の設置とをデザイン性を損ねることなく実現することができる。特に、情報処理装置２のユーザに一番近い位置にフラットな形状の配置面６ａを設け、配置面６ａの下にＦｅｌｉＣａ（登録商標）などの通信ポート部９を配置した。これにより、配置面６ａを通信のための領域として用い、ユーザの使い勝手を向上させることができる。例えばユーザが非接触型のＩＣカード２０を通信ポート部９に近づけることで、通信ポート部９は、非接触型のＩＣカード２０との間で情報の送受信を行うことができる。
【００７１】
基部４Ａは図３に示すように水平面に対して角度θ１の角度をなして配置される。カバー部７は、水平面に対して角度θ２の角度をなして配置される。このため、情報処理装置２の基部４Ａをテーブル等に配置したときに、情報処理装置２の表面２５が斜め上方に向く。このとき、カバー部７は、水平面に対して傾斜して設けられる。この結果、支持部４は、キーボード３を斜めにした状態で収納することができるので、より省スペース化を図ることができる。
【００７２】
カバー部７は、図３に示すように、水平面に対して角度θ２で傾斜するので、キーボード３が支持部４に収納されたときには、キーボード３が傾斜して収納される。そこで、キーボード３の底面に、図示しないシート（例えばウレタンシート）などを配置（貼り付ける）するようにしてもよい。これにより、支持部４に収納されたキーボード３の位置ずれを防止することができる。
【００７３】
表面側カバー支持部２２の側板部４５には、図９に示すように、側板部４５を補強するための補強リブ３５が複数個、形成されている。これにより、例えば板金等の別の部材を用いて側板部４５を補強する場合に比べて、低コスト化及び軽量化を図りつつ支持部４を補強することができる。
【００７４】
情報処理装置２の本体部５は、その下端部に、空間Ｋに向けて突出する突起部４０を備える。突起部４０は、例えば情報処理装置２の幅方向（Ｘ方向）の中心点を中心として、左右対称（Ｘ方向に対称）に複数個、設けられている。突起部４０の構成材料には、例えばエラストマーが用いられる。これにより、キーボード３を支持部４の空間Ｋ内に収納するときに、キーボード３の上面側からキーボード３の長手方向の両端付近を突起部４０により押下し、キーボード３の上面側と本体部５の下端との間の距離を所定の距離に保つことができる。この結果、例えばキーボード３を支持部４に収納するときに、間違ってキーボード３の押下式操作部であるキーが押下されることを防止し、誤操作を防止することができる。
【００７５】
本体部５は、本体部５の下端に本体部５の表面２５に対して傾斜する傾斜面２６を備える。傾斜面２６は、本体部５の表面２５側から背面２７側に向かって下降するように傾斜している。これにより、キーボード３の収納スペースをより大きくすることができると共に、支持部４の空間Ｋにキーボード３を収納するときに、支持部４にキーボード３が接触することを防止することができる。また、本体部５が傾斜面２６を備えるので、マーク８（通信ポート部９）の位置をユーザが見やすくなる。
【００７６】
スピーカー３２が本体部５の下端に位置するため、スピーカー３２が本体部５の両側部に位置する場合に比べて、情報処理装置２の配置スペースを幅方向に小さくすることができる。このとき、スピーカー３２は、傾斜面２６に対応して傾斜して本体部５に内蔵されている。これにより、キーボード３の収納スペースが小さくなることを防止することができる。また、キーボード３の支持部４への収納時に、キーボード３と情報処理装置２の本体部５とが当たることを防止することができる。
【００７７】
情報処理装置２は、図１０及び図１１に示すように、本体部５の背面２７に接続部６２、７２等から離間した位置にクランプ部６５、７５を備える。このため、ＡＣアダプタ６０のケーブル６４やマウス７０のケーブル７４などを接続部６２、７２等から離間した位置でクランプ部６５、７５により保持することができる。このとき、ケーブル６４を少なくとも接続部６２−クランプ部６５間で弛まないようにし、ケーブル７４を少なくとも接続部７２−クランプ部７５間で弛まないようにすることができる。この結果、これらのケーブル６４、７４が例えば空間Ｋを塞ぐように机に垂れてしまうことを防止し、キーボード３を支持部４に収納するときにこれらのケーブル６４、７４を挟み込むことを防止することができる。また、これらのクランプ部６５、７５により、ケーブル６４や７４を保持することで、情報処理装置２やキーボード３やマウス７０等を操作しているときに、ケーブル６４や７４が抜けることを防止することができる。なお、ケーブル８０をこれらのクランプ部６５、７５で保持するようにしてもよい。
【００７８】
このような通信ポート部９をキーボード３側に組み込むことが考えられる。しかし、キーボード３は、通信ポート部９を配置するための領域が支持部４に比べて少ない。このため、キーボード３に通信ポート部９を配置すると、キーボード３が備える他の部品であるキーなどとの配置関係によりキーボード３のデザイン性が損なわれることがある。具体的には、通信ポート部９を必要とするキーボードと、通信ポート部９を必要としないキーボードとが存在するので、これらのキーボードを製造するために同一のデザインのキーボードを用いると、通信ポート部を備えないキーボードのデザイン性が損なわれる。
【００７９】
これに対して、本実施形態では、通信ポート部９は、支持部４の配置面６ａに設けられており、配置面６ａには他の部品を設ける必要がないので、通信ポート部９の有り無しで支持部４やキーボード３等のデザイン性が損われることもない。
【００８０】
［他の実施形態］  
図１２は他の実施形態のキーボードの側面図である。なお、本実施形態以降では、上記実施形態と同一の部材には同一の符号を付しその説明を省略し、異なる箇所を中心に説明する。
【００８１】
キーボード３は、キー等を備える表面８１とは反対側の底面８２にケーブル８０を案内する案内溝８５を備える。案内溝８５は、例えばキーボード３の長手方向と直交する方向に形成されている。これにより、情報処理装置２の支持部４にキーボード３を収納するときや収納した後に、図１２に示すように案内溝８５にケーブル８０を沿わせることができる。この結果、ケーブル８０が情報処理装置２やキーボード３などに引っかかることを防止することができる。
【００８２】
また、キーボード３は、キーボード３を支持部４の空間Ｋに収納したときに、支持部４の底板部６に係合する係合突起部８６を備える。係合突起部８６は、キーボード３の底面８２から下方に突出している。これにより、キーボード３を支持部４内に安定した状態で収納することができる。
【００８３】
本発明は以上説明した実施の形態には限定されるものではなく、種々の変形が可能である。
【００８４】
上記実施形態では、支持部４の底板部６に通信ポート部９を配置する例を示した。しかし、これに限定されず、例えば支持部４の側板部４３等に通信ポート部９を配置するようにしてもよい。このようにしても、ユーザはＩＣカード２０を通信ポート部９に容易に接触させるようにすることができる。
【００８５】
上記実施形態では、図１０に示すように、ＡＣアダプタ６０のケーブル６４をクランプ部６５にフックする例を示した。しかし、キーボード３のケーブル８０（図１参照）をクランプ部６５にフックするようにしてもよい。また、図１０では、ケーブル６４を保持するクランプ部６５を一箇所設ける例を示した。しかし、ケーブル６４を保持するためにクランプ部６５と同形状のクランプ部を別の箇所に設けるようにしてもよい。これにより、複数箇所でより確実にケーブル６４を保持することができる。
【００８６】
上記実施形態では、図１１に示すように、マウス７０のケーブル７４をクランプ部７５にフックする例を示した。しかし、例えばＡＣアダプタ６０のケーブル６４をクランプ部７５にフックするようにしてもよい。また、図１１では、ケーブル７４を保持するクランプ部７５を一箇所設ける例を示した。しかし、ケーブル７４を保持するためにクランプ部７５と同形状のクランプ部を別の箇所に設けるようにしてもよい。これにより、複数箇所でより確実にケーブル７４を保持することができる。
【図面の簡単な説明】
【００８７】
【図１】本発明の一実施形態に係る電子機器の斜視図である。
【図２】図１に示す情報処理装置の斜視図である。
【図３】図２に示す情報処理装置のＡ−Ａ断面図である。
【図４】情報処理装置の支持部を構成する表面側カバーの一部を破断した拡大図である。
【図５】通信ポート部の内部の構成を示すブロック図である。
【図６】非接触型のＩＣカードの内部の構成を示すブロック図である。
【図７】情報処理装置の本体部に設けられた突起部を示す部分拡大斜視図である。
【図８】図１に示す情報処理装置の背面側カバーの斜視図である。
【図９】背面側カバーを外した情報処理装置の斜視図である。
【図１０】情報処理装置のケーブルクランプ構造を示す斜視図である。
【図１１】情報処理装置の別のケーブルクランプ構造を示す斜視図である。
【図１２】他の実施形態のキーボードの側面図である。
【符号の説明】
【００８８】
Ｋ  空間
１  電子機器
２  情報処理装置
３  キーボード
４  支持部
４Ａ  基部
５  本体部
６  底板部
７  カバー部
８  マーク
９  通信ポート部
２０  ＩＣカード
２５  表面
２６  傾斜面
２７  背面
３２  スピーカー
３５  補強リブ
４０  突起部
４５  側板部
６４、７４  ケーブル
６５、７５  クランプ部
【図１】
2010061219.tif 000003
【図２】
2010061219.tif 000004
【図３】
2010061219.tif 000005
【図４】
2010061219.tif 000006
【図５】
2010061219.tif 000007
【図６】
2010061219.tif 000008
【図７】
2010061219.tif 000009
【図８】
2010061219.tif 000010
【図９】
2010061219.tif 000011
【図１０】
2010061219.tif 000012
【図１１】
2010061219.tif 000013
【図１２】
2010061219.tif 000014